(57)【要約】【課題】  本発明は、カートリッジの装着動作を利用してインクリボンの弛みをとることができるカートリッジ装着装置およびこれを備えたテープ印刷装置を提供することを課題としている。【解決手段】  インクリボン２１の繰出しリール２９とインクリボン２１の巻取りリール２３とこれらを収容したケースと、を有するカートリッジ３を備えると共に、カートリッジ３が装着される印刷装置本体のカートリッジ装着部に突設され、巻取りリール２３が装着され、且つ巻取りリール２３を巻取り回転させる巻取り駆動軸１５を備えた、カートリッジ装着装置において、巻取りリール２３の内周面３７と巻取り駆動軸１５の外周面３８との相互間には、巻取りリール２３の巻取り駆動軸１５への挿入装着に伴う直線運動を、巻取りリール２３の巻取り方向の回転運動に変換するカム機構５７が構成されている。【選択図】  図４
2005225060.tif 000002
【特許請求の範囲】
【請求項１】
インクリボンを巻回した繰出しリールと、前記繰出しリールから繰り出されたインクリボンを巻き取る巻取りリールと、インクリボンと共に前記繰出しリールおよび前記巻取りリールを回転自在に収容したケースと、を有するカートリッジを備えると共に、
前記カートリッジが装着される印刷装置本体のカートリッジ装着部に突設され、前記巻取りリールが軸方向から着脱自在に装着され、且つ装着した前記巻取りリールを巻取り回転させる巻取り駆動軸を備えた、カートリッジ装着装置において、
前記巻取りリールの内周面と前記巻取り駆動軸の外周面との相互間には、前記巻取りリールの前記巻取り駆動軸への挿入装着に伴う直線運動を、前記巻取りリールの巻取り方向の回転運動に変換すると共に、
前記巻取りリールの前記巻取り駆動軸からの引抜き離脱に伴う直線運動に対し、前記巻取りリールの非回転状態を維持する、カム機構が構成されていることを特徴とするカートリッジ装着装置。
【請求項２】
前記カム機構は、
前記巻取り駆動軸の外周面に突出形成されると共に軸方向に延在する複数の駆動凸部と、
前記複数の駆動凸部に対応して前記巻取りリールの内周面に窪入形成した複数の従動凹部と、を有し、
前記各駆動凸部は、少なくとも一方の側壁面に螺旋状を為す駆動斜面が形成され、
前記各従動凹部は、一方の溝壁面が前記駆動斜面と相補的形状を為す螺旋状の従動斜面に形成され、他方の溝壁面が軸方向に延在する平坦面に形成されていることを特徴とする請求項１に記載のカートリッジ装着装置。
【請求項３】
隣接する前記従動凹部間の隣り合う前記従動斜面および前記平坦面が、挿入方向の基端部において鋭角に交わっていることを特徴とする請求項２に記載のカートリッジ装着装置。
【請求項４】
前記カム機構は、
前記巻取り駆動軸の外周面に窪入形成されると共に軸方向に延在する複数の駆動凹部と、
前記複数の駆動凹部に対応して前記巻取りリールの内周面に突出形成した複数の従動凸部と、を有し、
前記各従動凸部は、少なくとも一方の側壁面に螺旋状を為す従動斜面が形成され、
前記各駆動凹部は、一方の溝壁面が前記従動斜面と相補的形状を為す螺旋状の駆動斜面に形成され、他方の溝壁面が軸方向に延在する平坦面に形成されていることを特徴とする請求項１に記載のカートリッジ装着装置。
【請求項５】
隣接する前記駆動凹部間の隣り合う前記駆動斜面および前記平坦面が、挿入開始端部において鋭角に交わっていることを特徴とする請求項４に記載のカートリッジ装着装置。
【請求項６】
前記カム機構は、
前記巻取り駆動軸の外周面に突出形成されると共に軸方向に螺旋状に延在する複数の駆動凸部と、
前記複数の駆動凸部に対応して前記巻取りリールの内周面に窪入形成され軸方向に螺旋状に延在する複数の従動凹部と、を有し、
前記ケースには、前記巻取りリールの逆転を阻止する逆止め機構が設けられていることを特徴とする請求項１に記載のカートリッジ装着装置。
【請求項７】
隣接する前記従動凹部間の隣り合う溝壁面同士が、挿入方向の基端部において鋭角に交わっていることを特徴とする請求項６に記載のカートリッジ装着装置。
【請求項８】
前記カム機構は、
前記巻取り駆動軸の外周面に窪入形成されると共に軸方向に螺旋状に延在する複数の駆動凹部と、
前記複数の駆動凹部に対応して前記巻取りリールの内周面に突出形成され軸方向に螺旋状に延在する従動凸部と、を有し、
前記ケースには、前記巻取りリールの逆転を阻止する逆止め機構が設けられていることを特徴とする請求項１に記載のカートリッジ装着装置。
【請求項９】
隣接する前記駆動凹部間の隣り合う溝壁面同士が、挿入開始端部において鋭角に交わっていることを特徴とする請求項８に記載のカートリッジ装着装置。
【請求項１０】
請求項１ないし９のいずれかに記載のカートリッジ装着装置を備えたことを特徴とするテープ印刷装置。
【発明の詳細な説明】
【技術分野】
【０００１】
本発明は、インクリボンを繰出し・巻取り自在に収容するカートリッジを備えたカートリッジ装着装置およびこれを備えたテープ印刷装置に関するものである。
【背景技術】
【０００２】
従来、テープ印刷装置は、印刷テープに印刷を行う印刷装置本体と、印刷装置本体に着脱自在に装着されると共に印刷テープを供給するカートリッジと、で構成されている。カートリッジは、その樹脂製のカートリッジケース内に、ロール状に巻回した印刷テープの他、インクリボンを巻回すると共にこれを繰り出すようにして送る繰出しリールと、繰り出されたインクリボンを巻き取る巻取りリールと、を収容して構成されている。繰出しリールおよび巻取りリールの軸端には回転止めとなる溝を形成され、これに対応してカートリッジケースには、一対のフックが一体に形成されている。また、巻取りリールの内周面には、軸方向に延在する複数の係止溝が形成されている。
一方、印刷装置本体のカートリッジ装着部には、上記の両フックに係合して回転止めが解除する一対の解除突起と、巻取りリールが装着される巻取り駆動軸が設けられている。そして、巻取り駆動軸の外周面には、上記の複数の係止溝に係合するリブ状の複数の係止突起が設けられている。
カートリッジを、装置本体のカートリッジ装着部に装着すると、繰出しリールおよび巻取りリールの回転止めが解除されると共に、巻取りリールが巻取り駆動軸に装着されて、巻取り駆動待機状態となる。（例えば、特許文献１参照）。
【特許文献１】特開平６−１２２２６４号公報
【発明の開示】
【発明が解決しようとする課題】
【０００３】
上記従来のカートリッジでは、落下等により衝撃を加えると、上記の繰出しリールの回転止め或いは巻取りリールの回転止めが外れてインクリボンに弛みを生ずる問題がある。この弛みが生じたままカートリッジを印刷装置本体に装着し、印刷動作してしまうと、印刷不良やインクリボンのジャミングが生ずる問題がある。
【０００４】
本発明は、カートリッジの装着動作を利用してインクリボンの弛みをとることができるカートリッジ装着装置およびこれを備えたテープ印刷装置を提供することを課題としている。
【課題を解決するための手段】
【０００５】
本発明のカートリッジ装着装置は、インクリボンを巻回した繰出しリールと、繰出しリールから繰り出されたインクリボンを巻き取る巻取りリールと、インクリボンと共に繰出しリールおよび巻取りリールを回転自在に収容したケースと、を有するカートリッジを備えると共に、カートリッジが装着される印刷装置本体のカートリッジ装着部に突設され、巻取りリールが軸方向から着脱自在に装着され、且つ装着した巻取りリールを巻取り回転させる巻取り駆動軸を備えた、カートリッジ装着装置において、巻取りリールの内周面と巻取り駆動軸の外周面との相互間には、巻取りリールの巻取り駆動軸への挿入装着に伴う直線運動を、巻取りリールの巻取り方向の回転運動に変換すると共に、巻取りリールの巻取り駆動軸からの引抜き離脱に伴う直線運動に対し、巻取りリールの非回転状態を維持する、カム機構が構成されていることを特徴とする。
【０００６】
インクリボンのカートリッジはユーザにより印刷装置本体に装着されて適宜印刷に供される。上記の構成によれば、カートリッジの装着時において、巻取りリールの内周面と巻取り駆動軸の外周面との相互間に構成したカム機構により、巻取りリールは、巻取り駆動軸廻りを巻取り方向に回転運動しつつ、巻取り駆動軸に装着される。これにより、カートリッジ内のインクリボンに弛みが生じていても、インクリボンの弛みをとることができる。一方、カートリッジの離脱時においては、巻取りリールの非回転状態が維持されるため、カートリッジの引抜き離脱に伴うインクリボンの弛みを生じることがない。
したがって、カートリッジ内のインクリボンに弛みが生じていても、カートリッジの装着動作を活用して、インクリボンの弛みを自動的にとることができる。
【０００７】
この場合、カム機構は、巻取り駆動軸の外周面に突出形成されると共に軸方向に延在する複数の駆動凸部と、複数の駆動凸部に対応して巻取りリールの内周面に窪入形成した複数の従動凹部と、を有し、各駆動凸部は、少なくとも一方の側壁面に螺旋状を為す駆動斜面が形成され、各従動凹部は、一方の溝壁面が駆動斜面と相補的形状を為す螺旋状の従動斜面に形成され、他方の溝壁面が軸方向に延在する平坦面に形成されていることが、好ましい。
【０００８】
この構成によれば、カートリッジの装着時において、巻取り駆動軸の各駆動斜面の巻取りリール側の挿入開始端部は、巻取りリールの各従動斜面に当接すると共に、各駆動斜面上を滑ってゆく。通常、巻取りリールの回転抵抗は巻取り駆動軸の回転抵抗に比して十分に小さいため、巻取りリールは巻取り方向に巻取り駆動軸廻りに回転する。これにより、カートリッジの装着動作を利用して、巻取りリールにインクリボンを巻き取らせることができる。また、巻取りリールの軸着後は各従動斜面が各駆動斜面に当接するため、巻取り駆動軸の駆動力をロスなく巻取りリールに伝達することができる。
一方、カートリッジの離脱時において、各従動凹部の他方の溝壁面は軸方向に延在する平坦面に形成されているため、巻取り駆動軸の各駆動斜面が巻取りリールに干渉することがなく、巻取りリールの非回転状態を維持してカートリッジの取り外しができる。
【０００９】
この場合、隣接する従動凹部間の隣り合う従動斜面および平坦面が、挿入方向の基端部において鋭角に交わっていることが、好ましい。
【００１０】
この構成によれば、カートリッジ装着の際に、巻取りリールの隣り合う従動凹部間の各境界に巻取り駆動軸の各駆動凸部が位置することがあっても、巻取りリールが位置ずれ回転して、各駆動凸部を各境界に隣接する各従動凹部のいずれかに収容することができる。これにより、巻取りリールが巻取り駆動軸につかえることがなく、印刷装置本体にカートリッジが装着しにくくなるのを防止することができる。
【００１１】
この場合、カム機構は、巻取り駆動軸の外周面に窪入形成されると共に軸方向に延在する複数の駆動凹部と、複数の駆動凹部に対応して巻取りリールの内周面に突出形成した複数の従動凸部と、を有し、各従動凸部は、少なくとも一方の側壁面に螺旋状を為す駆動斜面が形成され、各駆動凹部は、一方の溝壁面が駆動斜面と相補的形状を為す螺旋状の従動斜面に形成され、他方の溝壁面が軸方向に延在する平坦面に形成されていることが、好ましい。
【００１２】
この構成によれば、カートリッジの装着時において、巻取りリールの各従動斜面の巻取り駆動軸側の挿入方向基端部は、巻取り駆動軸の各駆動斜面に当接すると共に、各駆動斜面上を滑ってゆく。これにより、巻取りリールを巻取り駆動軸廻りに回転させ、当該巻取りリールの回転運動によりインクリボンを巻き取らせることができる。また、巻取りリールの軸着後は各従動斜面が各駆動斜面に当接し、巻取り駆動軸の駆動力はロスなく巻取りリールに伝達される。一方、カートリッジの離脱時において、巻取り駆動軸の各駆動斜面が巻取りリールに干渉することがなく、巻取りリールの非回転状態を維持してカートリッジを取り外すことが可能となる。
【００１３】
この場合、隣接する駆動凹部間の隣り合う駆動斜面および平坦面が、挿入開始端部において鋭角に交わっていることが、好ましい。
【００１４】
この構成によれば、カートリッジ装着の際に、巻取り駆動軸の隣り合う駆動凹部間の各境界に巻取りリールの各従動凸部が位置することがあっても、巻取りリールが位置ずれ回転して、各従動凸部を各境界に隣接する各従動凹部のいずれかに収容することができる。これにより、テープ印刷装置にカートリッジが装着しにくくなるのを防止することができる。
【００１５】
この場合、カム機構は、巻取り駆動軸の外周面に突出形成されると共に軸方向に螺旋状に延在する複数の駆動凸部と、複数の駆動凸部に対応して巻取りリールの内周面に窪入形成され軸方向に螺旋状に延在する複数の従動凹部と、を有し、ケースには、巻取りリールの逆転を阻止する逆止め機構が設けられていることが、好ましい。
【００１６】
この構成によれば、カートリッジの装着時において、巻取りリールの各従動凹部の巻取り駆動軸側の挿入方向基端部は、巻取り駆動軸の各駆動凸部に当接すると共に、各駆動凸部上を滑ってゆく。これにより、巻取りリールを巻取り駆動軸に螺子状に螺合させ、当該巻取りリールの螺合運動（回転運動）によりインクリボンを巻き取らせることができる。
一方、カートリッジの離脱時において、巻取りリールには逆止め機構が作用するため、上記の螺合が解除する際にも巻取りリールが逆転することがなく、インクリボンが弛むのを防止することができる。
【００１７】
この場合、隣接する従動凹部間の隣り合う溝壁面同士が、挿入方向の基端部において鋭角に交わっていることが、好ましい。
【００１８】
この構成によれば、カートリッジ装着の際に、巻取りリールの隣り合う従動凹部間の各境界に巻取り駆動軸の各駆動凸部が位置することがあっても、巻取りリールが位置ずれ回転して、各駆動凸部を各境界に隣接する各従動凹部のいずれかに収容することができる。これにより、印刷装置本体にカートリッジが装着しにくくなるのを防止することができる。
【００１９】
この場合、カム機構は、巻取り駆動軸の外周面に窪入形成されると共に軸方向に螺旋状に延在する複数の駆動凹部と、複数の駆動凹部に対応して巻取りリールの内周面に突出形成され軸方向に螺旋状に延在する従動凸部と、を有し、ケースには、巻取りリールの逆転を阻止する逆止め機構が設けられていることが、好ましい。
【００２０】
この構成によれば、カートリッジの装着時において、巻取り駆動軸の各駆動凸部の巻取りリール側の挿入開始端部は、巻取りリールの各従動凹部に当接すると共に、各従動凹部上を滑ってゆく。これにより、巻取りリールを巻取り駆動軸に螺子状に螺合させ、当該巻取りリールの螺合運動（回転運動）によりインクリボンを巻き取らせることができる。
一方、カートリッジの離脱時において、巻取りリールには逆止め機構が作用するため、上記の螺合が解除する際にも巻取りリールが逆転することがなく、インクリボンが弛むのを防止することができる。
【００２１】
この場合、隣接する駆動凹部間の隣り合う溝壁面同士が、挿入開始端部において鋭角に交わっていることが、好ましい。
【００２２】
この構成によれば、カートリッジ装着の際に、巻取り駆動軸の隣り合う駆動凹部間の各境界に巻取りリールの各従動凸部が位置することがあっても、巻取りリールが位置ずれ回転して、各従動凸部を各境界に隣接する各従動凹部のいずれかに収容することができる。これにより、印刷装置本体にカートリッジが装着しにくくなるのを防止することができる。
【００２３】
本発明のテープ印刷装置は、上記のカートリッジ装着装置を備えたことを特徴とする。
【００２４】
この構成によれば、印刷装置本体への装着動作によりインクリボンの弛みを除去できるカートリッジを利用するため、印刷不良やインクリボンのジャミングが生じ難く、信頼性の高いテープ印刷装置を提供することができる。
【発明を実施するための最良の形態】
【００２５】
以下、添付図面を参照して、本発明を実施するための最良の形態にかかるカートリッジ装着装置およびこれが搭載されるテープ印刷装置について詳細に説明する。テープ印刷装置は、カートリッジを介して装置内に装着した印刷テープに、所望の文字や図形などを印刷（印字）するとともに、印刷テープの印刷済み部分を所定の長さに切断してラベルを作製するものである。
【００２６】
図１は開蓋状態のテープ印刷装置１の外観斜視図であり、テープ印刷装置１は、印刷装置本体２と、印刷装置本体２に着脱自在に装着されるカートリッジ３とで構成されている。印刷装置本体２は、上下２分割の装置ケース５により外殻が形成され、装置ケース５の前部上面には各種入力キーを備えたキーボード６が配置されるとともに、後部上面には開閉蓋１０が配設されている。開閉蓋１０の内側にはディスプレイ１１とカートリッジ３を装着するためのカートリッジ装着部７が窪入形成されており、カートリッジ３は開閉蓋１０を開放した状態でカートリッジ装着部７に着脱される。また、開閉蓋１０にはこれを閉止した状態でディスプレイ１１を視認するための覗き窓１２が形成される。
【００２７】
装置ケース５の左側部には、カートリッジ装着部７と印刷装置本体２の外部とを連通するテープ排出口１３が形成され、このテープ排出口１３には、送り出した印刷テープ４を切断するための図外のテープカッタが臨んでいる。そして、テープ排出口１３から印刷済みの印刷テープ４が送り出されることにより、この印刷テープ４がテープカッタにより切断される。
【００２８】
一方、カートリッジ装着部７には、ヘッドカバー９に覆われた発熱素子を有する印刷ヘッド８と、印刷ヘッド８に対峙するプラテン駆動軸１４と、後述のインクリボン２１の巻取り駆動軸１５と、後述のテープリール２４の位置決め突起１８とを備えている。また、カートリッジ装着部７の下側には、図示省略したがプラテン駆動軸１４および巻取り駆動軸１５を回転させるテープ送り機構が内蔵される。
【００２９】
図２は上ケース１６の一部を破断して残したカートリッジ３の平面図である。同図に示すように、カートリッジ３は、上ケース１６と下ケース１７とから成るカートリッジケース（ケース）２０内に、印刷テープ４およびインクリボン２１をそれぞれロール状に巻回して収容すると共に、上記の印刷ヘッド８に対応するプラテンローラ２２を収容したものである。巻取り駆動軸１５はインクリボン２１を巻き取る後述の巻取りリール２３に挿嵌されて、印刷テープ４の送りに同期してインクリボン２１を巻取り動作させるものである。なお、請求項にいうカートリッジ装着装置は、上記のカートリッジ３と、テープ印刷装置１のカートリッジ装着部７に立設される巻取り駆動軸１５と、で構成されている。
【００３０】
カートリッジケース２０には、印刷テープ４を巻回したテープリール２４と、インクリボン２１を巻回した繰出しリール２９と、使用後のインクリボン２１を巻き取る巻取りリール２３とが回転自在に収容されている。また、カートリッジケース２０には、プラテンローラ２２の近傍に位置して、カートリッジケース２０を上下に貫通する略方形の貫通開口２５が形成されており、カートリッジ３をカートリッジ装着部７に装着すると、この貫通開口２５に装置側から印刷ヘッド８が臨んでプラテンローラ２２と対峙する。
【００３１】
また、この状態では、装置側からプラテンローラ２２および巻取りリール２３にそれぞれプラテン駆動軸１４および巻取り駆動軸１５が係合する。すなわち、プラテンローラ２２および巻取りリール２３は駆動リールとして機能し、テープリール２４および繰出しリール２９は従動リールとして機能する。また、カートリッジケース２０の貫通開口２５の周囲には、巻取り駆動軸１５が挿入される貫通孔２６が形成されている。
【００３２】
テープリール２４から巻き出された印刷テープ４は、テープガイドピン２７に案内されてプラテンローラ２２に至り、この部分で印刷されてからカートリッジケース２０の側面に形成したテープ送出口２８から送り出される。一方、繰出しリール２９から繰り出されたインクリボン２１は、第１リボンピン３１および第２リボンピン３２に案内され、プラテンローラ２２に至る。ここでインクリボン２１は、印刷テープ４に重なって印刷に供され、さらに上記の貫通開口２５を形成する開口壁３３に案内されてＵターンし、巻取りリール２３に巻き取られる。
【００３３】
この場合、駆動側のプラテンローラ２２および巻取りリール２３は同期して回転するため、印刷テープ４およびインクリボン２１は同時に走行し、また印刷テープ４には走行しながら印刷が行われる。そして、テープ送出口２８から送り出された印刷テープ４は、印刷装置本体２側のテープカッタにより切断され、ラベルとして使用される。なお、繰出しリール２９および巻取りリール２３の下端部には、複数のフック受け溝３４が形成される一方、下ケース１７にはフック受け溝３４に係止して回転止めとして機能する一対のフック３５が形成されており、カートリッジ３をカートリッジ装着部７に装着することで、カートリッジ装着部７に形成した一対の解除突起（図示省略）が、それぞれフック３５に係合し、繰出しリール２９および巻取りリール２３の回転止めが解除されるようになっている。
【００３４】
図３は、カートリッジ３の巻取りリール２３と巻取り駆動軸１５とが係合する形態を示す説明図である。同図に示すように、カートリッジ３には、上記の貫通孔２６に臨んで巻取りリール２３が配設されており、巻取りリール２３は、その中心に軸孔３９を有して略円筒形状に形成されている。巻取りリール２３は、軸孔３９となる内周面３７で印刷装置本体２側から動力伝達を受けると共に、その外周面３８によりインクリボン２１を巻き取るように構成されている。一方、巻取りリール２３に挿嵌される巻取り駆動軸１５は、上部で巻取りリール２３の内周面３７（軸孔３９）に係合する駆動軸本体４１と、駆動軸本体４１の下側に連なると共に駆動源に連結された歯車部４２と、駆動軸本体４１および歯車部４２を回転自在に軸支したセンターピン４３とで、構成されている。
【００３５】
図４の斜視図および図５の展開図に示すように、駆動軸本体４１の外周面３８には、複数（実施形態では４個）の駆動凸部４４が放射状に突出形成されており、これに対応して、巻取りリール２３の内周面３７には複数（実施形態では４個）の従動凹部４５が形成されている。各駆動凸部４４は、断面方形に形成され、且つ駆動軸本体４１の円筒状肉部４０の外周面３８に螺旋状に巻き付くように突出形成されている。これにより、各駆動凸部４４は、幅方向の両側壁面が軸方向に螺旋状を為す駆動斜面４６となっている。本実施形態では、駆動斜面４６は、駆動軸本体４１の上端から下端に至るまでに円筒状肉部４０の外周面３８を１／４回転する螺旋となっている。
【００３６】
一方、巻取りリール２３の内周面３７に形成した各従動凹部４５は、巻取りリール２３の円筒状肉部３６の内周面３７に窪入形成されている。各従動凹部４５の一方の溝壁面５８は、上記の駆動斜面４６に相補的な形状を為すように螺旋状に形成した従動斜面４９となっており、他方の溝壁面５８は、軸方向（巻取りリール２３の装着方向）に延在する平坦面５０となっている。この場合、従動斜面４９も、巻取りリール２３の上端から下端に至るまでに巻取りリール２３の内周面３７を１／４回転する螺旋となっている。また、隣接する従動凹部４５間の隣り合う従動斜面４９および平坦面５０が、挿入方向の基端部５１において鋭角に交わっており、装着時に駆動凸部４４が従動凹部４５につかえるのを防止している。
【００３７】
上記のように、複数の駆動凸部４４と複数の従動凹部４５とにより、巻取りリール２３の巻取り駆動軸１５への挿入装着に伴う直線運動が、巻取りリール２３の巻取り方向の回転運動に変換され、インクリボン２１に弛みが生じていてもその弛みが解消される。すなわち、駆動凸部４４と従動凹部４５とにより、巻取りリール２３の内周面３７と巻取り駆動軸１５の外周面３８との相互間に、傾斜カムを利用したカム機構５７が構成されている。
【００３８】
なお、上記実施形態の変形例として、上記実施形態と逆の形態でカム機構５７を構成することも可能である。すなわち、図６の展開図に示すように、巻取りリール２３の内周面３７に従動凸部５３を形成し、これに対応して巻取り駆動軸１５の外周面３８に駆動凹部５２を形成する。この場合には、従動凸部５３に従動斜面４９が形成され、駆動凹部５２に駆動斜面４６および平坦面５６が形成される。また、隣接する駆動凹部５２間の隣り合う駆動斜面４６および平坦面５６が、挿入開始端部５４において鋭角に交わっている。
【００３９】
次に、図７の斜視図および図８の展開図を参照して、第２実施形態について説明する。この実施形態では、駆動軸本体４１の外周面３８には、複数（実施形態では４個）の駆動凸部４４が放射状に突出形成されており、これに対応して、巻取りリール２３の内周面３７には複数（実施形態では４個）の従動凹部４５が形成されている。各駆動凸部４４は、第１実施形態のものと同様に、断面方形に形成され、且つ駆動軸本体４１の円筒状肉部４０の外周面３８に螺旋状に巻き付くように突出形成されている。これにより、各駆動凸部４４は、幅方向の両側壁面が軸方向に螺旋状を為す駆動斜面４６となっている。本実施形態でも、駆動斜面４６は、駆動軸本体４１の上端から下端に至るまでに円筒状肉部４０の外周面３８を１／４回転する螺旋となっている。
【００４０】
一方、巻取りリール２３の内周面３７に形成した各従動凹部４５は、巻取りリール２３の円筒状肉部３６の内周面３７に螺旋状に窪入形成されている。各従動凹部４５の両溝壁面５８は、上記の駆動斜面４６に相補的な形状を為すように螺旋状に形成した従動斜面４９となっており、全体として、各駆動凸部４４と各従動凹部４５が相補的な螺旋形状を為している。そしてこの場合も、従動斜面４９が、巻取りリール２３の上端から下端に至るまでに巻取りリール２３の内周面３７を１／４回転する螺旋となっている。また、隣接する従動凹部４５間の隣り合う溝壁面５８同士が、挿入方向の基端部５１において鋭角に交わっており、装着時に駆動凸部４４が従動凹部４５につかえるのを防止している。
【００４１】
上記のように、複数の駆動凸部４４と複数の従動凹部４５とにより、巻取りリール２３の巻取り駆動軸１５への挿入装着に伴う直線運動が、巻取りリール２３の巻取り方向の回転運動に変換され、インクリボン２１に弛みが生じていてもその弛みが解消される。すなわち、駆動凸部４４と従動凹部４５とにより、巻取りリール２３の内周面３７と巻取り駆動軸１５の外周面３８との相互間に、傾斜カムを利用したカム機構５７が構成されている。
【００４２】
ところで、上記のように、駆動凸部４４および従動凹部４５とも螺旋形状でスプライン様に係合する形態をとると、カートリッジ３を引き抜いたときに巻取りリール２３が逆転し、インクリボン２１に弛みが生じてしまう。そこで、この実施形態では、巻取りリール２３の下端部に設けた複数のフック受け溝３４に上記のフック３５とは別に、逆転止めの常時回転止めフック４７を設けている。この常時回転止めフック４７も上記のフック３５と同様に、下ケースに一体に形成することが好ましい。これにより、カートリッジ３を引き抜いたときに、巻取り駆動軸１５が回転して、巻取りリール２３の逆転が阻止される。なお、上記の複数のフック受け溝３４と常時回転止めフック４７とにより、逆止め機構が構成されている。
【００４３】
なお、上記第２実施形態の変形例として、第２実施形態と逆の形態でカム機構５７を構成することも可能である。すなわち、図９の展開図に示すように、巻取りリール２３の内周面３７に従動凸部５３を形成し、これに対応して巻取り駆動軸１５の外周面３８に駆動凹部５２を形成する。この場合もまた、隣接する駆動凹部５２間の隣り合う溝壁面５９同士は、挿入開始端部５４において鋭角に交わっている。
【図面の簡単な説明】
【００４４】
【図１】実施形態に係るテープ印刷装置の外観斜視図である。
【図２】一部を破断して示したカートリッジの平面図である。
【図３】巻取りリールおよび巻取り駆動軸廻りの拡大断面図である。
【図４】第１実施形態に係る巻取りリールおよび巻取り駆動軸を模式的に表した分解斜視図である。
【図５】第１実施形態に係る巻取りリールの内周面および巻取り駆動軸の外周面の展開図である。
【図６】第１実施形態の変形例に係る巻取りリールの内周面および巻取り駆動軸の外周面の展開図である。
【図７】第２実施形態に係る巻取りリールおよび巻取り駆動軸を模式的に表した分解斜視図である。
【図８】第２実施形態に係る巻取りリールの内周面および巻取り駆動軸の外周面の展開図である。
【図９】第２実施形態の変形例に係る巻取りリールの内周面および巻取り駆動軸の外周面の展開図である。
【符号の説明】
【００４５】
１  テープ印刷装置              ２  印刷装置本体
３  カートリッジ                ７  カートリッジ装着部
１５  巻取り駆動軸              ２０  ケース
２１  インクリボン              ２３  巻取りリール
２９  繰出しリール              ３７  内周面
３８  外周面                    ４４  駆動凸部
４５  従動凹部                  ４６  駆動斜面
４７  逆止め機構                ４９  従動斜面
５０  平坦面                    ５１  基端部
５４  挿入開始端部              ５７  カム機構
５８  溝壁面                    ５９  溝壁面
【図１】
2005225060.tif 000003
【図２】
2005225060.tif 000004
【図３】
2005225060.tif 000005
【図４】
2005225060.tif 000006
【図５】
2005225060.tif 000007
【図６】
2005225060.tif 000008
【図７】
2005225060.tif 000009
【図８】
2005225060.tif 000010
【図９】
2005225060.tif 000011